(57)【要約】      （修正有）【課題】現有の支柱と支持腕の角度をそのままにした状態で照射方向を変えて照射範囲を広くし街灯間の未照射エリアをなくすことができるＬＥＤ街灯を提供する。【解決手段】内部に複数の枠体１２を成型したライトカバー１０を備え、枠体１２に縦方向に傾斜する底面１２１を設け、枠体１２に対応して底面１２１に発光部２０を配置し、この複数の発光部２０をライトカバー１０に接続した透光板３０によって覆う。【選択図】図５
0003150159.tif 000002
【実用新案登録請求の範囲】
【請求項１】
ライトカバー、発光部、透光板を備え、
前記ライトカバーの内部に複数の枠体を成型して設け、
前記発光部を前記各枠体に対応させて該枠体の底面に沿って前記ライトカバー内に配置し、
平面状の前記透光板を前記ライトカバーに接続して前記複数の発光部を覆い、
前記ライトカバー内に設けた枠体底面の縦方向を前記透光板の平面に相対して傾斜させたことを特徴とするLED街灯。
【請求項２】
前記ライトカバーは、圧力鋳造で成型することを特徴とする請求項1記載のLED街灯。
【請求項３】
前記ライトカバーの外部に複数の放熱シートを成型することを特徴とする請求項1記載のLED街灯。
【請求項４】
前記ライトカバーの枠体は、お椀形であることを特徴とする請求項1記載のLED街灯。
【請求項５】
前記ライトカバーの枠体は、階段形であることを特徴とする請求項1記載のLED街灯。
【請求項６】
前記ライトカバー内に横向きに少なくとも三列の枠体を設け、左右二列の枠体の底面は横向きにライトカバー内に向けて傾斜することを特徴とする請求項1記載のLED街灯。
【請求項７】
前記ライトカバーの縦方向に設ける枠体は、階段状を呈すことを特徴とする請求項1記載のLED街灯。
【請求項８】
前記発光部は、台座、基板、発光ユニット、反射シェード、透光レンズを備え、
前記台座は前記ライトカバー枠体の底面に設け、
前記基板は台座に設け、
前記発光ユニットは複数の発光ダイオードを有して前記基板に接続し、
前記反射シェードの内部にある収納槽に前記発光ユニットを配置し、該反射シェードの一端を前記基板に固定接続し、
前記透光レンズを前記反射シェードの別端に接続することを特徴とする請求項1記載のLED街灯。
【請求項９】
前記透光レンズは、フレネルレンズとすることを特徴とする請求項8記載のLED街灯。
【考案の詳細な説明】
【技術分野】
【０００１】
本考案は、特にライトカバーを改良したLED街灯に関する。
【背景技術】
【０００２】
従来技術の照明である水銀を用いた街灯は、長時間点灯すると高熱を発し、ランプの使用寿命が短くなる上、電気消費量が高く、エコとは言えない。そのため、今日では照度が高く、省エネ且つ寿命の長い、多くのメリットを備えた発光ダイオードのランプに取って代わられつつある。
【０００３】
戸外照明に応用しているLED街灯は、歩行者や車両を導くために使われており、街灯間は一定に距離を開けて設置するため、適切な街灯の数を保って町並みが乱雑にならないほか、コストを下げることができる。しかし、現在一般道路でよくある状況であるが、街灯が照射しないエリアがあり、著しく歩行者の安全問題に関わることがある。
【０００４】
街灯間に光が照射していないエリアがある一つの原因は、街灯の発光部と支柱の角度である。図1に示すのは、従来技術の街灯の略図である。支柱1、支持腕2及び発光部3を備え、前記支持腕2と支柱1の角度をXとすると、このXは一般1０１度から105度の間である。図１において、この角度Xで発光部3が地面に照射する面積をAとする。図2に示すように、前記支持腕2と支柱1の角度をXからYに大きくすると、発光部3の地面への照射方向が変わるため、発光部3の地面に照射する面積がAからBに拡大し、街灯間の未照射エリアの問題を改善することができる。
【０００５】
前述の発光部3の地面への照射方向を変えるのは、支柱1と支持腕2の角度を変えたためである。しかし、一般的な街灯の支柱1と支持腕2の角度は固定してあるため、支柱1と支持腕2の角度を変えるには、新たに支柱1と支持腕2を設置しなければならないため、コストと人件費のみならず時間をも費やす。特に、街灯は公共のものであるため、多くの支柱1を置換するのは、公金を浪費する憂いがある。よって、現有の支柱1と支持腕2の角度をそのままに、如何にして発光部3の地面への照射方向を変えるのかが、本考案の課題である。
【考案の概要】
【考案が解決しようとする課題】
【０００６】
前記従来技術の欠点を解決するため、本考案は、現有の支柱と支持腕の角度をそのままにした状態で発光部の照射方向を変えることができ、街灯間の未照射エリアの問題を解決したLED街灯を提供することを目的とする。
【課題を解決するための手段】
【０００７】
前記課題を解決するため、本考案によるLED街灯は、ライトカバー、発光部、透光板を備え、前記ライトカバーの内部に複数の枠体を成型して設け、前記発光部を前記各枠体に対応させて該枠体の底面に沿って前記ライトカバー内に配置し、平面状の前記透光板を前記ライトカバーに接続して前記複数の発光部を覆い、前記ライトカバー内に設けた枠体底面の縦方向を前記透光板の平面に相対して傾斜させた。
【考案の効果】
【０００８】
本考案のLED街灯によれば、ライトカバー内の枠体に縦方向に傾斜する底面を設置することにより、新たに支柱と支持腕を製造しなくても、発光部の照射方向を変えることができ、街灯間の未照射エリアの問題も同時に解決することができる上、街灯支柱を置換するという膨大な費用を節約することができる。
【図面の簡単な説明】
【０００９】
【図１】従来技術の街灯の支柱と支持腕の角度Xの照射範囲を示す説明図である。
【図２】従来技術の街灯の支柱と支持腕の角度Yの照射範囲を示す説明図である。
【図３】本考案実施例の街灯を示す分解斜視図である。
【図４】本考案実施例の街灯を示す斜視図である。
【図５】本考案実施例の街灯の縦方向断面図である。
【図６】本考案実施例の街灯の横方向の断面図である。
【図７】本考案実施例の街灯を支柱及び支持腕に取り付けた使用例を示す説明図である。
【考案を実施するための形態】
【００１０】
本考案の実施例を図に沿って詳細に説明する。これにより本考案の保護範囲が限定されるものではない。
【実施例】
【００１１】
図3から図6に示すのは、LED街灯におけるライトカバーの改良構造である。LED街灯は、ライトカバー10、複数の発光部及び透光板30を備えている。前記ライトカバー10は、アルミを圧力鋳造して成形される。このライトカバー10は、外部に複数の放熱シート11を成型し、内部に複数の規則正しく配列した枠体12を成型している。前記枠体12は、お碗形或いは階段形のいずれでも良い。前記ライトカバー10は、前記枠体１２を縦方向に階段形に設け、該ライトカバー10の横方向に少なくとも3列の枠体12(図4及び図6を参照)を設けることで、左右二列の枠体12がライトカバー内に傾斜した状態で配置されて集光効果が増すようになっている。本実施例では、前記ライトカバー10内部に9個の枠体12を設置し、各枠体12内にそれぞれ対応して一組の発光部20が設置されている。枠体の数は、発光部20と対応して調整することができる。
【００１２】
前記発光部20は台座21、基板22、発光ユニット23、反射シェード24及び透光レンズ25を備えている。前記台座21は枠体12の底面121に設置され、基板22を台座21に設置している。この基板22は、複数の発光ダイオード231の発光ユニット23を有し、反射シェード24内に収納槽241を備え、この収納槽に発光ユニット23を設置するようになっている。前記反射シェード24は、一端を台座21に固定し、別端は透光レンズ25と接続している。該透光レンズ25は、フレネルレンズ(Fresnel Lens)を使用することで、発光部20の集光効果を増すようになっている。該透光レンズ25には、反射シェード24を組み合わせて発光部20が下向きに照射する角度を調整することができ、有効的に照射するエリアを増大できる。
【００１３】
前述構造では、台座21は枠体12の底面に沿って設けているため、台座21と結合する発光部20は枠体12の底面121に沿ってライトカバー10内に設置される。また、ライトカバー10には平面の透光板30を設置し、該透光板30は複数の発光部20を覆うことで、ライトカバー10内の照明部品が湿気で損壊するのを防止している。前記ライトカバー10内の枠体12底面121の縦方向は、透光板30と相対して傾斜する。
【００１４】
図7に示すのは、本考案実施例のLED街灯ライトカバーの改良構造を街灯に応用した説明図である。ライトカバー10を支柱1の支持腕2に結合し、街灯の支持腕2と支柱1の角度はXである。本実施例のライトカバー10を使用することにより、路面に照射する面積をBとすることができる。従来技術の発光部と比べ、本実施例では照射方向を変えて地面への照射エリアを広めることができた。
【００１５】
以上は本考案の最良の実施例であり、それにより本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
1  支柱
2支持腕
3  発光部
X  角度
Y  角度
A  照射面積
B  照射面積
10  ライトカバー
11  放熱シート
12  枠体
121  底面
20  発光部
21  台座
22  基板
23  発光ユニット
231  発光ダイオード
24  反射シェード
241  収納槽
25  透光レンズ
30  透光板
【図１】
0003150159.tif 000003
【図２】
0003150159.tif 000004
【図３】
0003150159.tif 000005
【図４】
0003150159.tif 000006
【図５】
0003150159.tif 000007
【図６】
0003150159.tif 000008
【図７】
0003150159.tif 000009